(57)【要約】【課題】光源の閾値電流及び微分量子効率が変動してもデータ欠損を生じさせる特殊記録パルスの発生や記録動作中断を行わずに常に所望の出力光量が得られるように駆動電流を制御すると共に、情報記録開始直後では高速に所望の出力光量に制御できるようにする。【解決手段】情報記録媒体１００に情報を記録するための光を発生する光源１０２の出射光量の一部を受光素子でモニタして生成するモニタ受光信号と、光源１０２の目標光出力波形に比例した発光基準信号とがほぼ一致するようにバイアス電流及び変調電流のスケールを制御する際、情報記録開始後の所定期間は上記変調電流のスケールの制御の制御帯域を高くする。【選択図】　　　図１
2004005781.tif 000002
【特許請求の範囲】
【請求項１】
情報記録媒体に情報を記録するための光を発生する光源の出射光量の一部を受光素子でモニタして生成するモニタ受光信号と、前記光源の目標光出力波形に比例した発光基準信号とがほぼ一致するようにバイアス電流及び変調電流のスケールを制御する光源制御手段を備えた情報記録装置において、
情報記録開始後の所定期間は前記変調電流のスケールの制御の制御帯域を高くする制御手段を設けたことを特徴とする情報記録装置。
【請求項２】
情報記録媒体に情報を記録するための光を発生する光源の出射光量の一部を受光素子でモニタして生成するモニタ受光信号と、前記光源の目標光出力波形に比例した発光基準信号とがほぼ一致するようにバイアス電流及び変調電流のスケールを制御する光源制御手段を備えた情報記録装置において、
前記光源制御手段が、前記モニタ受光信号の所定レベル又は所定の二つのレベル差と前記発光基準信号の所定レベル又は所定の二つのレベル差とを比較し、該比較の結果に基づいて前記モニタ受光信号と前記発光基準信号とがほぼ一致するように前記バイアス電流及び前記変調電流のスケールを増減させて制御する手段であり、
情報記録開始後の所定期間は前記スケールの増減値を増加させる制御手段を設けたことを特徴とする情報記録装置。
【請求項３】
情報記録媒体に情報を記録するための光を発生する光源の出射光量の一部を受光素子でモニタして生成するモニタ受光信号と、前記光源の目標光出力波形に比例した発光基準信号とがほぼ一致するようにバイアス電流及び変調電流のスケールを制御する光源制御手段を備えた情報記録装置において、
前記光源制御手段が、前記モニタ受光信号の所定レベル又は所定の二つのレベル差と前記発光基準信号の所定レベル又は所定の二つのレベル差とを比較し、該比較の結果に基づいて前記モニタ受光信号と前記発光基準信号とがほぼ一致するように前記バイアス電流及び前記変調電流のスケールを増減させて制御する手段であり、
情報記録開始後の所定期間は前記スケールの更新頻度を高くする制御手段を設けたことを特徴とする情報記録装置。
【請求項４】
情報記録媒体に情報を記録するための光を発生する光源の出射光量の一部を受光素子でモニタして生成するモニタ受光信号と、前記光源の目標光出力波形に比例した発光基準信号とがほぼ一致するようにバイアス電流及び変調電流のスケールを制御する光源制御手段を備えた情報記録装置において、
前記光源制御手段が、前記モニタ受光信号の所定レベル又は所定の二つのレベル差と前記発光基準信号の所定レベル又は所定の二つのレベル差とを比較し、該比較の結果に基づいて前記モニタ受光信号と前記発光基準信号とがほぼ一致するように前記バイアス電流及び前記変調電流のスケールを増減させて制御する手段であり、
情報記録開始後の所定期間は前記スケールの増減値を増加させ、且つ前記スケールの更新頻度を高くする制御手段を設けたことを特徴とする情報記録装置。
【請求項５】
請求項３又は４記載の情報記録装置において、
前記情報記録開始後の所定期間は、所定のスペースのレベルが他のスペースレベルとは異なる第二のスペースレベルで発光させて情報を記録し、前記所定の二つのレベル差が前記スペースレベルと前記第二のスペースレベルとのレベル差になるようにする手段を設けたことを特徴とする情報記録装置。
【請求項６】
請求項５記載の情報記録装置において、
前記第二のスペースレベルで発光するスペースの前後の記録マークを形成するパルス列のうちの少なくとも一部のパルス幅又はパワーを第二のスペースレベルに応じて変更する手段を設けたことを特徴とする情報記録装置。
【請求項７】
請求項１乃至４のいずれか一項に記載の情報記録装置において、
前記情報記録開始後の所定期間が、情報記録開始後から前記変調電流のスケール制御値が制御目標値の所定範囲内になるまでの期間になるようにする手段を設けたことを特徴とする情報記録装置。
【請求項８】
請求項２乃至４のいずれか一項に記載の情報記録装置において、
前記スケールの増減のうち増加を＋１にし、減少を−１にして直近の複数回の平均値をとる平均化手段と、前記情報記録開始後の所定期間が、情報記録開始後から前記平均化手段によってとった平均値の絶対値が所定範囲内になるまでの期間になるようにする手段を設けたことを特徴とする情報記録装置。
【請求項９】
請求項１記載の情報記録装置において、
前記制御帯域を情報記録速度に応じて変更する手段を設けたことを特徴とする情報記録装置。
【請求項１０】
請求項２又は４記載の情報記録装置において、
前記スケールの増減値を情報記録速度に応じて変更する手段を設けたことを特徴とする情報記録装置。
【請求項１１】
請求項３又は４記載の情報記録装置において、
前記スケールの更新頻度を情報記録速度に応じて変更する手段を設けたことを特徴とする情報記録装置。
【請求項１２】
情報記録媒体に情報を記録するための光を発生する光源の出射光量の一部を受光素子でモニタして生成するモニタ受光信号と、前記光源の目標光出力波形に比例した発光基準信号とがほぼ一致するようにバイアス電流及び変調電流のスケールを制御する光源制御手段を備えた情報記録装置において、前記光源制御手段が、前記モニタ受光信号の第一の所定レベルをサンプルホールドする第一のサンプルホールド手段と、第二の所定レベルをサンプルホールドする第二のサンプルホールド手段と、前記第一のサンプルホールド手段によってサンプルホールドした第一の所定レベルと前記第二のサンプルホールド手段によってサンプルホールドした第二の所定レベルとの差分と前記発光基準信号の第一の所定レベル及び第二の所定レベルとのレベル差とを比較する比較手段と、該比較手段による比較結果に基づいて前記モニタ受光信号と前記発光基準信号とがほぼ一致するように前記変調電流のスケールを増減させて制御するスケール設定手段とからなることを特徴とする情報記録装置。
【発明の詳細な説明】
【０００１】
【発明の属する技術分野】
この発明は、半導体レーザ光源等の光源の出力光量を制御して駆動する光源制御手段を備えたＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置，ＤＶＤ−ＲＡＭドライブ装置などの情報記録装置に関する。
【０００２】
【従来の技術】
記録可能な光ディスク（情報記録媒体）に対して光ピックアップに搭載された光源である半導体レーザ光源（Ｌａｓｅｒ　Ｄｉｏｄｅ：ＬＤ）から照射するレーザ光の光変調によって情報の記録を行う光ディスク装置においては、１ビームオーバーライト技術や、情報記録の高密度化のための記録マーク形状制御のために光変調波形をマルチパルス化，多値レベル化して制御する技術が必須になっており、光源の照射光量が常に所望の値になるように制御する必要がある。
一般には、光源（ＬＤ）は温度変化などによって閾値電流が変動するので、一定の駆動電流を保つだけでは光量変動が起こってしまう。そのため、光源の出射光量の一部を受光素子でモニタ受光し、そのモニタ受光信号が所定の目標値と一致するように光源の駆動電流を制御するＡＰＣ（Ａｕｔｏｍａｔｉｃ　Ｐｏｗｅｒ　Ｃｏｎｔｒｏｌ）制御と呼ばれる方法が用いられる。
【０００３】
但し、情報の高速化記録，情報の高密度化記録を行うためには光変調周波数が高くなり、周波数帯域の限られた受光素子では正確な出射光量をモニタすることは困難になっている。そのため、通常はモニタ受光信号の低周波成分を検出し、予め算出した平均照射光量に対応する目標値に一致するように制御（この制御方法を「平均値制御方法」と呼ぶ）したり、照射光量の一定の期間が比較的長い時（モニタ受光信号が整定したレベル）をサンプルし、そのサンプルしたレベルが目標値に一致するように制御（この制御方法を「サンプルホールド制御方法」と呼ぶ）したりしている。
【０００４】
また、半導体レーザ光源の駆動電流−光出力特性の勾配（「微分量子効率」と呼ぶ）も温度変化などによって大きく変動し、その微分量子効率も出射光量変動の要因になる。その変動による不具合を解決するには、微分量子効率を測定し、その測定結果に応じて光源の駆動電流を補正する方法、すなわち、所定の２点の照射光量に対するモニタ受光信号のレベルを検出し、その検出した２つのモニタ受光信号のレベル差から微分量子効率を算出し、その算出結果に応じて光源の駆動電流を補正する方法（例えば、特開２０００−２９４８７１号公報，特開平０８−２３５６２９公報参照）が提案されている。その微分量子効率の算出方法としては、所定のキャリブレーション期間を設けて検出し、その検出結果に応じて制御している。
【０００５】
しかし、情報記録装置に適用する場合には、連続記録時間が１時間以上にも及ぶこともあり、その連続記録の間はキャリブレーション期間を挿入できないので、記録前に算出した微分量子効率では長時間（使用ＬＤによっては数分程度でも）の記録に対しては大きくずれてしまって不十分である。
一方、記録の途中にキャリブレーション期間を挿入するには一旦記録動作を中止し、情報記録媒体（または情報記録領域）の無いところまで光ピックアップを移動したりデフォーカスして情報記録媒体に記録されない状態にしたりして、キャリブレーションを行う必要があり、記録速度が低下するという問題があった。また、光ピックアップによっては合焦時と非合焦時では戻り光の影響などによって異なる値が取得されるので、上述のような非合焦時にキャリブレーションをする方法では誤った値に制御されてしまうという問題が生じる場合もあった。
【０００６】
さらに、記録動作中に微分量子効率を検出して制御する方法として、記録時に生じる低頻度のデータ欠損は再生時のエラー訂正機能によって影響が低減されるという考えのもとに、データ欠損は覚悟して本来の記録パルスとは異なる特殊な微分量子効率検出用のパルスを挿入して制御するという方法が提案されている。しかしながら、このような方法では、データ欠損が起こるのは事実であり、また検出パルスは頻繁には挿入できないので、制御帯域をあげることができないなどの問題があった。
【０００７】
ところで、情報記録媒体に追記や書き換えを行う際、情報記録直後から適正な記録パワーで記録することが望ましい。さもないと情報記録開始直後のデータが正確に再生できなくなってしまう。特に、ＤＶＤ＋Ｒ／ＲＷフォーマットのように追記・書き換えの際にリンクエリアを設けずに記録を行う場合、情報記録開始直後からデータが記録されるため（リンクエリアを設けるフォーマットなどではダミーデータを記録することもある）、適正な記録パワーで記録することがより厳しく要求される。
【０００８】
また、通常再生と記録の切り換わり目では、記録パワーが大きく違うことから光源の温度変動が大きくなることが多く、つまり閾値電流や微分量子効率の変動も大きくなるので、切り換え直後では高速に光量制御を行うことが要求されている。
さらに、上述のように光ピックアップによっては合焦時と非合焦時では戻り光の影響などによって駆動電流−光出力特性が異なる場合があり、非合焦時に微分量子効率の初期値を求め設定する方法では、情報記録開始直後から正確な光量で記録することは難しい。
【０００９】
【発明が解決しようとする課題】
しかしながら、従来の情報記録装置では、情報記録開始直後に高速に所望の光量に制御することができないという問題があった。
この発明は上記の課題を解決するためになされたものであり、光源の閾値電流及び微分量子効率が変動してもデータ欠損を生じさせる特殊記録パルスの発生や記録動作中断を行わずに常に所望の出力光量が得られるように駆動電流を制御すると共に、情報記録開始直後では高速に所望の出力光量に制御できるようにすることを目的とする。
【００１０】
【課題を解決するための手段】
この発明は上記の目的を達成するため、次の（１）〜（１２）の情報記録装置を提供する。
（１）　情報記録媒体に情報を記録するための光を発生する光源の出射光量の一部を受光素子でモニタして生成するモニタ受光信号と、上記光源の目標光出力波形に比例した発光基準信号とがほぼ一致するようにバイアス電流及び変調電流のスケールを制御する光源制御手段を備えた情報記録装置において、情報記録開始後の所定期間は上記変調電流のスケールの制御の制御帯域を高くする制御手段を設けた情報記録装置。
【００１１】
（２）　情報記録媒体に情報を記録するための光を発生する光源の出射光量の一部を受光素子でモニタして生成するモニタ受光信号と、上記光源の目標光出力波形に比例した発光基準信号とがほぼ一致するようにバイアス電流及び変調電流のスケールを制御する光源制御手段を備えた情報記録装置において、上記光源制御手段が、上記モニタ受光信号の所定レベル又は所定の二つのレベル差と上記発光基準信号の所定レベル又は所定の二つのレベル差とを比較し、その比較の結果に基づいて上記モニタ受光信号と上記発光基準信号とがほぼ一致するように上記バイアス電流及び上記変調電流のスケールを増減させて制御する手段であり、情報記録開始後の所定期間は上記スケールの増減値を増加させる制御手段を設けた情報記録装置。
【００１２】
（３）　情報記録媒体に情報を記録するための光を発生する光源の出射光量の一部を受光素子でモニタして生成するモニタ受光信号と、上記光源の目標光出力波形に比例した発光基準信号とがほぼ一致するようにバイアス電流及び変調電流のスケールを制御する光源制御手段を備えた情報記録装置において、上記光源制御手段が、上記モニタ受光信号の所定レベル又は所定の二つのレベル差と上記発光基準信号の所定レベル又は所定の二つのレベル差とを比較し、その比較の結果に基づいて上記モニタ受光信号と上記発光基準信号とがほぼ一致するように上記バイアス電流及び上記変調電流のスケールを増減させて制御する手段であり、情報記録開始後の所定期間は上記スケールの更新頻度を高くする制御手段を設けた情報記録装置。
【００１３】
（４）　情報記録媒体に情報を記録するための光を発生する光源の出射光量の一部を受光素子でモニタして生成するモニタ受光信号と、上記光源の目標光出力波形に比例した発光基準信号とがほぼ一致するようにバイアス電流及び変調電流のスケールを制御する光源制御手段を備えた情報記録装置において、上記光源制御手段が、上記モニタ受光信号の所定レベル又は所定の二つのレベル差と上記発光基準信号の所定レベル又は所定の二つのレベル差とを比較し、その比較の結果に基づいて上記モニタ受光信号と上記発光基準信号とがほぼ一致するように上記バイアス電流及び上記変調電流のスケールを増減させて制御する手段であり、情報記録開始後の所定期間は上記スケールの増減値を増加させ、且つ上記スケールの更新頻度を高くする制御手段を設けた情報記録装置。
【００１４】
（５）　（３）又は（４）の情報記録装置において、上記情報記録開始後の所定期間は、所定のスペースのレベルが他のスペースレベルとは異なる第二のスペースレベルで発光させて情報を記録し、上記所定の二つのレベル差が上記スペースレベルと上記第二のスペースレベルとのレベル差になるようにする手段を設けた情報記録装置。
（６）　（５）の情報記録装置において、上記第二のスペースレベルで発光するスペースの前後の記録マークを形成するパルス列のうちの少なくとも一部のパルス幅又はパワーを第二のスペースレベルに応じて変更する手段を設けた情報記録装置。
（７）　（１）乃至（４）のいずれかの情報記録装置において、上記情報記録開始後の所定期間が、情報記録開始後から上記変調電流のスケール制御値が制御目標値の所定範囲内になるまでの期間になるようにする手段を設けた情報記録装置。
【００１５】
（８）　（２）乃至（４）のいずれかの情報記録装置において、上記スケールの増減のうち増加を＋１にし、減少を−１にして直近の複数回の平均値をとる平均化手段と、上記情報記録開始後の所定期間が、情報記録開始後から上記平均化手段によってとった平均値の絶対値が所定範囲内になるまでの期間になるようにする手段を設けた情報記録装置。
（９）　（１）の情報記録装置において、上記制御帯域を情報記録速度に応じて変更する手段を設けた情報記録装置。
（１０）　（２）又は（４）の情報記録装置において、上記スケールの増減値を情報記録速度に応じて変更する手段を設けた情報記録装置。
（１１）　（３）又は（４）の情報記録装置において、上記スケールの更新頻度を情報記録速度に応じて変更する手段を設けた情報記録装置。
【００１６】
（１２）　情報記録媒体に情報を記録するための光を発生する光源の出射光量の一部を受光素子でモニタして生成するモニタ受光信号と、上記光源の目標光出力波形に比例した発光基準信号とがほぼ一致するようにバイアス電流及び変調電流のスケールを制御する光源制御手段を備えた情報記録装置において、上記光源制御手段が、上記モニタ受光信号の第一の所定レベルをサンプルホールドする第一のサンプルホールド手段と、第二の所定レベルをサンプルホールドする第二のサンプルホールド手段と、上記第一のサンプルホールド手段によってサンプルホールドした第一の所定レベルと上記第二のサンプルホールド手段によってサンプルホールドした第二の所定レベルとの差分と上記発光基準信号の第一の所定レベル及び第二の所定レベルとのレベル差とを比較する比較手段と、その比較手段による比較結果に基づいて上記モニタ受光信号と上記発光基準信号とがほぼ一致するように上記変調電流のスケールを増減させて制御するスケール設定手段とからなる情報記録装置。
【００１７】
【発明の実施の形態】
以下、この発明の実施形態を図面に基づいて具体的に説明する。
図１は、本発明の一実施形態である情報記録再生装置の全体構成を示すブロック図である。
図１において、情報記録媒体１００は、再生すべき情報が予め記録されたＣＤ−ＲＯＭ，ＤＶＤ−ＲＯＭ等の光ディスク、または情報が未記録であってユーザが任意に新規の情報を記録可能なＣＤ−Ｒ，ＣＤ−ＲＷ，ＤＶＤ−Ｒ，ＤＶＤ−ＲＡＭ，ＭＤ，ＭＯなどの光ディスクである。
【００１８】
光ピックアップ１０１は、光源（例えば半導体レーザ（ＬＤ））１０２からの出射光を情報記録媒体１００に照射して情報の記録を行ったり、情報記録媒体１００からの反射光を受光して受光信号に変換するものであり、図示を省略した光源１０２を駆動する光源駆動装置（その詳しい説明は後述する）を内蔵し、反射光を受光して受光信号に変換する受光部１０３などが配置されている。
また、光ピックアップ１０１には光源１０２の出射光の一部をモニタするモニタ受光部（公知技術であり、図示を省略）も配置されており、その出力であるモニタ信号に基づいて光源１０２の出射光量変動を制御する。
【００１９】
さらに、情報記録媒体１００の照射光に対する傾き（「チルト」と呼ぶ）を検知するためのチルト検出受光部（同じく公知であり、図示を省略）などが配置される場合もある。
さらにまた、異なる媒体フォーマットが定められた複数種類の情報記録媒体に対応する情報記録再生装置の場合（例えば、ＤＶＤ及びＣＤ両対応装置など）、それぞれの情報記録媒体に好適な波長の光源を持つ場合があり、それぞれの光源出射時に情報記録媒体からの反射光を受光する受光部やモニタ受光部を別個に備える場合もある。
【００２０】
信号処理部１０４は、光ピックアップ１０１に配置された各種受光部からの受光信号が入力され、様々な信号処理が行われる。
例えば、受光信号から情報を再生したり、情報記録媒体１００の回転に伴う面振れやトラックの半径方向の振れなどの変動に対して常に所定の誤差内で光を照射するように制御（フォーカスサーボ制御及びトラックサーボ制御）するために受光信号からサーボエラー信号を生成し、そのサーボエラー信号に従って光ピックアップ１０１を制御する。また、記録すべき情報を所定の規則に従って変調し、記録信号として光源１０２（または光源駆動部）に出力したり、光源１０２の出力光量制御を行う。
【００２１】
回転駆動部１０５は、情報記録媒体１００を回転させるものであり、信号処理部１０４によって回転速度が制御（スピンドルサーボ制御）される。
ＣＬＶ回転制御を行う際には、より精度よく回転制御をするために情報記録媒体１００に埋め込まれた回転制御信号を光ピックアップ１０１を介して検出し、その回転制御信号に基づいて回転制御を行う。
回転制御信号には、例えば再生情報記録媒体などでは記録された情報に所定間隔で配置された同期信号や、記録可能な情報記録媒体では記録トラックが所定の周波数で蛇行したウォブルなどを用いる。
【００２２】
コントローラ１０６は、ホストコンピュータとの記録再生情報の受け渡しやコマンド通信を行って装置全体の制御を行う。
なお、光ピックアップ１０１は情報記録媒体半径方向に可動（この動作を「シーク動作」と呼ぶ）させるため、光ピックアップ１０１と信号処理部１０４等が搭載されている回路基板とはフレキシブルプリント回路（Ｆｌｅｘｉｂｌｅ　Ｐｒｉｎｔ　Ｃｉｒｃｕｉｔ：ＦＰＣ）基板（またはケーブル）と呼ばれる基板（またはケーブル）で接続されるのが一般であり、光源１０２や受光部１０３等の光ピックアップ１０１に搭載される部品はこのＦＰＣ基板に実装されることも多い。
【００２３】
次に、駆動・制御対象となる光源について説明する。
図２は、駆動電流−光出力特性の一例を示す線図である。
通常、光源のＬＤ駆動電流ＩＬＤに対する光出力Ｐｏは次の数１に示す式に基づく演算処理で近似することができる。ここで、η：微分量子効率，Ｉｔｈ：閾値電流である。
【００２４】
【数１】
Ｐｏ＝η・（ＩＬＤ−Ｉｔｈ）
【００２５】
所望の光変調波形Ｐ（図２の（ｂ））を得るためには、ＬＤ駆動電流ＩＬＤをバイアス電流Ｉｂと変調電流Ｉｍの和（Ｉｂ＋Ｉｍ）とした場合、バイアス電流Ｉｂは閾値電流Ｉｔｈにほぼ等しく、変調電流Ｉｍは同図の（ｃ）のようなＰ＝η・Ｉｍになる電流を駆動すればよい。
しかし、一般に、この閾値電流Ｉｔｈと、微分量子効率ηは個体間のばらつきのみならず、温度変化によっても変動するため、所望の光変調波形Ｐを常時得るためには、閾値電流Ｉｔｈ及び微分量子効率ηの変動に伴ってバイアス電流Ｉｂと変調電流Ｉｍを制御することが望ましい。
例えば、図２の（ｉｉ）のように閾値電流がＩｔｈ′に、微分量子効率がη′に変動した場合、所望の光変調波形Ｐを得るためには、バイアス電流Ｉｂ′を閾値電流Ｉｔｈ′に、変調電流Ｉｍ′を同図の（ｄ）のようにＰ＝η′・Ｉｍ′となるように制御すればよい。
【００２６】
次に、この情報記録再生装置における基本となる光源駆動処理（光源制御処理）について説明する。
図３乃至図５は、図１に示した光源１０２の特性と駆動電流が変化した場合の各波形図である。
各図の（ｃ）は光源１０２のＬＤ駆動電流ＩＬＤに対する光出力Ｐｏの特性図、（ａ−ｉ）（ａ−ｉｉ）はある駆動電流（ｂ）に対する光源１０２の光出力波形Ｐを示す図、（ｄ）は所望の目標光出力信号Ｐｔａｒｇｅｔの波形を示す図である。
【００２７】
図３は、光源１０２の特性が同図の（ｃ）に示す（ｉ）の場合（閾値電流がＩｔｈ，微分量子効率がη）であり、同図の（ａ−ｉ）に示す光出力波形Ｐが、同図の（ｄ）に示す所望の目標光出力信号Ｐｔａｒｇｅｔと一致するようにＬＤ駆動電流を制御しているものとする（つまり、バイアス電流Ｉｂは閾値電流Ｉｔｈとほぼ等しく、変調電流Ｉｍは微分量子効率ηに適合したものとなっている）。その時、光源１０２の特性が同図の（ｃ）の（ｉｉ）のように（閾値電流がＩｔｈ′，微分量子効率がη′）変化したとすると、駆動電流が同図の（ｂ）に示すような波形のままでは同図の（ａ−ｉｉ）に示すような光波形Ｐしか得られず、同図の（ｄ）に示すような目標光出力信号Ｐｔａｒｇｅｔとは異なってしまい、正確な記録ができなくなる。
【００２８】
そこで、図４に示すように、光源１０２の特性変化に対してバイアス電流Ｉｂの制御を行った場合、同図の（ｄ）に示す目標光出力のスペースレベルパワーＰｔ０と同図の（ａ−ｉｉ）に示す光出力ＰのスペースレベルパワーＰ０とが等しくなるようにバイアス電流を制御すると、微分量子効率η′の変化に対して変調電流Ｉｍを制御していないので、目標光出力信号Ｐｔａｒｇｅｔを得るには不十分である。この光源制御処理では、図５に示すように、光源１０２の特性変化に対してバイアス電流Ｉｂの制御に加えて変調電流Ｉｍも制御する。
【００２９】
すなわち、この光源制御処理では、上述と同じように、同図の（ｄ）に示す目標光出力のスペースレベルパワーＰｔ０と同図の（ａ−ｉｉ）に示す光出力ＰのスペースレベルパワーＰ０とが等しくなるようにバイアス電流を制御した上で、同図の（ｄ）中に一点鎖線で示す目標光出力の平均値レベルパワーＰｔＡｖｇと同図の（ａ−ｉｉ）中に一点鎖線で示す光出力Ｐの平均値レベルパワーＰａｖｇとが等しくなるように変調電流Ｉｍのスケールを制御する。その変調電流Ｉｍのスケール制御は、変調電流をＤＡＣによって生成している場合にはＤＡＣのフルスケールを変更したり、また変調電流の電流増幅率を変更したりするなどの方法によって実現できる。
【００３０】
このようにして、バイアス電流と変調電流を制御することにより、光源１０２の閾値電流及び微分量子効率変動に対しても常に所望の光出力が得られ、正確な記録が可能になる。
また、バイアス電流制御と変調電流制御のうち、一方の制御帯域を他方に比べ十分速く（あるいは遅く）することによって全体の収束性を向上させることができる。通常の光源は微分量子効率の変動が閾値電流の変動に比べて比較的緩やかに起こるので、バイアス電流の制御帯域を速くしておくとよい。
【００３１】
また、この情報記録再生装置の光源制御処理を以下のようにしてもよい。
図６乃至図８は、図１に示した光源１０２の特性と駆動電流が変化した場合の他の例の各波形を示す図である。
各図の（ｃ）は光源１０２のＬＤ駆動電流ＩＬＤに対する光出力Ｐｏの特性図、（ａ−ｉ）（ａ−ｉｉ）はある駆動電流（ｂ）に対する光源１０２の光出力波形Ｐを示す図、（ｄ）は所望の目標光出力信号Ｐｔａｒｇｅｔを示す図である。以下図３乃至図５と同様の個所はその説明を省略する。
【００３２】
この光源制御処理では、まず、図７に示すように、同図の（ｄ）中に一点鎖線で示す目標光出力の平均値レベルパワーＰｔＡｖｇと同図の（ａ−ｉｉ）中に一点鎖線で示す光出力Ｐの平均値レベルパワーＰａｖｇとが等しくなるようにバイアス電流を制御する。さらに図７で示したようなバイアス電流制御に加え、図８に示すように、同図の（ｄ）に示す目標光出力のスペースレベルパワーＰｔ０と同図の（ａ−ｉｉ）に示す光出力ＰのスペースレベルパワーＰ０とが等しくなるように変調電流Ｉｍのスケールを制御する。
このようにして、光源の閾値電流及び微分量子効率変動に対しても常に所望の光出力が得られるようになる。
【００３３】
さらに、この情報記録再生装置における他の光源制御処理について説明する。この光源制御処理では、図５に示すように、目標光出力のスペースレベルパワーＰｔ０と光出力ＰのスペースレベルパワーＰ０とが等しくなるようにバイアス電流を制御した上で、目標光出力の平均値レベルパワーＰｔＡｖｇとスペースレベルパワーＰｔ０との差分ΔＰｔと光出力Ｐの平均値レベルパワーＰａｖｇとスペースレベルパワーＰ０との差分ΔＰとが等しくなるように変調電流Ｉｍのスケールを制御する。
このようにすれば、上述と同様に光源の閾値電流及び微分量子効率変動に対しても常に所望の光出力が得られるようになる。
【００３４】
同様にして、目標光出力の平均値レベルパワーＰｔＡｖｇと光出力Ｐの平均値レベルパワーＰａｖｇとが等しくなるようにバイアス電流を制御した上で、目標光出力の平均値レベルパワーＰｔＡｖｇとスペースレベルパワーＰｔ０との差分ΔＰｔと光出力Ｐの平均値レベルパワーＰａｖｇとスペースレベルパワーＰ０との差分ΔＰとが等しくなるように変調電流Ｉｍのスケールを制御してもよい。
このようにすれば、上述と同様に光源の閾値電流及び微分量子効率変動に対しても常に所望の光出力が得られるようになる。
上述の例では、検出値としてスペースレベルパワーと平均値レベルパワーの場合について説明したが、他のレベルパワーを検出して制御しても同様の効果が得られる。
上述の光源制御処理は、ＣＤ−Ｒディスク，ＤＶＤ＋Ｒディスク，ＤＶＤ−Ｒディスクなどの色素系記録媒体に好適である。
つまり、それらの情報記録媒体に記録する際の発光波形は（例えば図１０の（ｄ）に示す波形の光波形）、スペースレベルパワーと平均値レベルパワーとのレベル差が十分あるために上記制御が精度よく行える。
【００３５】
一方、ＣＤ−ＲＷディスク，ＤＶＤ＋ＲＷディスク，ＤＶＤ−ＲＡＭディスク，ＤＶＤ−ＲＷディスクなどのような相変化型記録媒体には、以下に示す光源制御処理がより好適である。その光源制御処理を図１８に基づいて説明する。
図１８は、この情報記録再生装置における相変化型記録媒体に対する光源制御処理の説明に供する線図である。
図３乃至図５，図６乃至図８と同様に、図１８の（ｃ）は光源の駆動電流ＩＬＤに対する光出力Ｐｏの特性図であり、図１８の（ｂ）はある駆動電流に対する光源の光出力波形Ｐを示す波形図であり、図１８の（ｄ）は所望の目標光出力波形Ｐｔａｒｇｅｔを示す図である。
【００３６】
バイアス電流Ｉｂは、上述と同様に目標光出力のイレースレベルパワーＰｔ１と光出力ＰのイレースレベルパワーＰ１とが等しくなるように、あるいは目標光出力の平均値レベルパワーＰｔＡｖｇと光出力Ｐの平均値レベルパワーＰａｖｇとが等しくなるように制御する（図１８では前者の方法とした）。
そして、図のようにロングスペース中に所定期間はイレースレベルパワーＰ１とは異なるη検出用レベルパワーＰ３（図中破線で示すレベル）で発光させ、イレースレベルパワーＰ１とη検出用レベルパワーＰ３との差分ΔＰが、目標光出力のこの二点レベル間の差分ΔＰｔと等しくなるように変調電流Ｉｍのスケールを制御する。
また、同様にして、η検出用レベルパワーＰ３と目標光出力のη検出用レベルパワーＰｔ３とが等しくなるように変調電流Ｉｍのスケールを制御するようにしてもよい。
【００３７】
通常、ＣＤ−ＲＷディスクなどの相変化型記録媒体は、イレースパワーの多少の変動に対しては記録特性をほとんど悪化させない。また、微分量子効率の変動は温度変化によるものが主因なので、この制御帯域は遅くてもよく、この特殊パワーであるη検出用レベルパワーＰ３での発光頻度も少なくてよいので、この光源制御処理による記録性能への悪影響はない。
このようにすれば、記録性能に影響を与えることなく、微分量子効率の変動に対しても常に所望の光量で光源を発光させることができる。
【００３８】
次に、この情報記録再生装置における上記光源制御処理を実行する光源駆動装置について詳述する（この発明の請求項１〜１１に係る説明）。
図９は、図１に示した光ピックアップ１０１に内蔵された光源制御部を含む光源駆動装置１の構成図である。この光源駆動装置１は駆動する光源１０２の近傍に配置され、光ピックアップ１０１に搭載される。
光源駆動装置１は、信号処理部１０４から供給される記録クロック信号ＷＣＫ及び記録データ信号Ｗｄａｔａから変調スイッチ信号Ｓｍｏｄ及び目標レベル信号Ｄｔａｒｇｅｔを生成するストラテジ変調部５と、ストラテジ変調部５から供給される変調スイッチ信号Ｓｍｏｄ及びスケール信号Ｓｃａｌｅに基づいてＬＤ変調電流Ｉｍｏｄを生成する変調部（Ｄａｔａ−Ｍｏｄｕｌａｔｉｏｎ）６と、ＦＳＰＤ端子に光源の出射光の一部をモニタするモニタ受光部２９からのモニタ受光信号を入力してオフセット調整及びゲイン調整を行ってモニタ信号Ｉｍｏｎを出力するＰＤアンプ部（ＰＤ−ＡＭＰ）２を備えている。
【００３９】
また、ストラテジ変調部５から供給される目標レベル信号Ｄｔａｒｇｅｔから発光基準信号Ｉｔａｒｇｅｔを生成する基準信号生成部７と、ＰＤアンプ部２から供給されるモニタ信号Ｉｍｏｎが発光基準信号Ｉｔａｒｇｅｔと一致するようにバイアス電流Ｉｂｉａｓを制御するバイアス電流制御部（Ｂｉａｓ−Ｃｏｎｔｒｏｌ）４と、モニタ信号Ｉｍｏｎ及び発光基準信号Ｉｔａｒｇｅｔから駆動している光源の微分量子効率ηを検出してその検出結果に応じてＬＤ変調電流のスケールＳｃａｌｅを制御する微分量子効率制御部（η−Ｃｏｎｔｒｏｌ）３と、バイアス電流Ｉｂｉａｓと変調電流Ｉｍｏｄを加算する電流加算部８と、電流加算部８から供給される電流を増幅して光源のＬＤ駆動電流ＩＬＤを供給する電流駆動部９と、コントローラ１０６から（あるいは信号処理部１０４を介して）供給される制御コマンドを受けて各部へ制御信号を供給する制御部１０も備えている。
なお、高周波重畳部などの公知の光源駆動装置に搭載されていても本実施形態の要旨に関係のないものは図示及び説明を省く。
【００４０】
図１０は、図９に示した各部の出力する信号波形の一例を示す図であり、記録マークを形成するのに複数のパルス列で記録（以下マルチパルス記録と称する）する情報記録媒体を想定する。また、説明を簡単にするために記録パワーはＰ０，Ｐ１の二値レベルとした。
以下、図９及び図１０に基づいて図９に示した各部の構成と動作の詳細説明を行う。
【００４１】
［ストラテジ変調部］
ストラテジ変調部５は、発光レベルに対応した変調データＤｍｏｄ０，Ｄｍｏｄ１，・・・，Ｄｍｏｄｎを供給し、図１の信号処理部１０４から供給される記録クロック信号ＷＣＫ及び記録データ信号Ｗｄａｔａから発光レベルの選択信号となる変調スイッチ信号Ｓｍｏｄを生成する。
また、変調データＤｍｏｄ０，Ｄｍｏｄ１，・・・，Ｄｍｏｄｎを変調スイッチ信号Ｓｍｏｄに従って選択して生成したデータである目標レベル信号Ｄｔａｒｇｅｔを供給する。その変調データＤｍｏｄ０，Ｄｍｏｄ１，・・・，Ｄｍｏｄｎは、制御部１０を介して所望の発光レベルに予め設定される。また、変調スイッチ信号Ｓｍｏｄの変調タイミングは、情報記録媒体や記録速度などに応じて決められ、そのタイミング情報も保持している。
さらには、記録クロック信号ＷＣＫ及び記録データ信号Ｗｄａｔａから変調スイッチ信号Ｓｍｏｄに合せ、後述する各部の制御タイミング信号（例えば、ＡｐｃＳｍｐ信号など）も生成する。
【００４２】
［変調部］
変調部６は、ストラテジ変調部５から供給される変調データＤｍｏｄ０，Ｄｍｏｄ１，・・・，Ｄｍｏｄｎ及び変調スイッチ信号Ｓｍｏｄに基づいてＬＤ変調電流Ｉｍｏｄを生成する。
そのＰ０ＤＡＣ２２ａは、変調データＤｍｏｄ０に基づいて電流Ｉ０を供給する電流出力ＤＡＣ（Ｄ／Ａコンバータ）であり、Ｐ１ＤＡＣ２２ｂは変調データＤｍｏｄｂに基づいて電流Ｉ１を供給する電流出力ＤＡＣである。以下、ＰｎＤＡＣ２２ｎまで同様である。各ＤＡＣはそれぞれ発光レベルに相当する電流を出力する。ここでは二値レベルでの記録を想定しているので、Ｐ０ＤＡＣ２２ａ，Ｐ１ＤＡＣ２２ｂを用いる場合について説明する（多値レベル記録時には同様にして考えればよい）。
【００４３】
スイッチ２３は、変調スイッチ信号Ｓｍｏｄに従ってＰ０ＤＡＣ２２ａ，Ｐ１ＤＡＣ２２ｂあるいはＰｎＤＡＣ２２ｎの出力電流を選択してＬＤ変調電流Ｉｍｏｄを出力する。また、Ｐ０ＤＡＣ２２ａ〜ＰｎＤＡＣ２２ｎのフルスケールＫｍはスケールＤＡＣ（ＳｃａｌｅＤＡＣ）２４から供給され、これは微分量子効率制御部３から供給されるスケール信号Ｓｃａｌｅに従って設定される。また、スケールＤＡＣ２４のフルスケールＩｆｕｌｌはηＲＥＦから供給され、使用する光源の微分量子効率から定めればよい。フルスケールＫｍの算出・設定方法については後述する。
したがって、Ｐ０ＤＡＣ２２ａ，Ｐ１ＤＡＣ２２ｂの各出力電流Ｉ０，Ｉ１はそれぞれ以下に示す数２と数３に示す式に基づく演算処理で求めることができる。ここでは、Ｐ０ＤＡＣ２２ａ，Ｐ１ＤＡＣ２２ｂ及びスケールＤＡＣ２４は８ビット（ｂｉｔ）ＤＡＣとしている。
【００４４】
【数２】
Ｉ０＝（Ｄｍｏｄ０／２５５）＊（Ｓｃａｌｅ／２５５）＊Ｉｆｕｌｌ
【００４５】
【数３】
Ｉ１＝（Ｄｍｏｄ１／２５５）＊（Ｓｃａｌｅ／２５５）＊Ｉｆｕｌｌ
【００４６】
したがって、ＬＤ変調電流Ｉｍｏｄは次の数４に示す式に基づく演算処理で求めることができ、図１０の（ｉ）にそのＩｍｏｄの波形例を示す。
ここで、Ｉｍｎ＝（Ｄｍｏｄｎ／２５５），Ｋｍ＝（Ｓｃａｌｅ／２５５）＊Ｉｆｕｌｌ（ｎ＝０，１）である。
【００４７】
【数４】
Ｉｍｏｄ＝Ｉｍｎ＊Ｋｍ
【００４８】
［電流駆動部］
電流加算部８は、バイアス電流Ｉｂｉａｓと変調電流Ｉｍｏｄを加算する。
電流駆動部９は、電流加算部８から供給される電流を所定の増幅率Ａｉで増幅し、光源のＬＤ駆動電流ＩＬＤを供給する。したがって、その時のＬＤ駆動電流ＩＬＤは次の数５に示す式に基づく演算処理で求めることができる。
また、Ｉｂ＝Ａｉ＊Ｉｂｉａｓ，Ｉｍ＝Ａｉ＊Ｉｍｏｄとし、図２に示したようにＩｂが閾値電流Ｉｔｈと等しくなるように制御されれば、Ｉｍすなわち変調電流Ｉｍｏｄは光波形に比例した波形となる。
【００４９】
【数５】
ＩＬＤ＝Ａｉ＊（Ｉｂｉａｓ＋Ｉｍｏｄ）
【００５０】
［ＰＤアンプ部］
ＰＤアンプ部２は、光源の出射光の一部をモニタするモニタ受光部２９からのモニタ受光信号を入力してオフセット調整及びゲイン調整を行う。
モニタ受光部２９には、受光素子（Ｐｈｏｔｏ　Ｄｅｔｅｃｔｏｒ：ＰＤなど）単体でモニタ受光信号が電流として出力されるタイプのものと、電流電圧変換器を内蔵し、モニタ受光信号が電圧として出力されるタイプのものとがある。本実施形態ではどちらのタイプでも対応可能としており、ＭＵＸ１２で選択する。
つまり、電流出力型の場合は入力されるモニタ受光信号が電流電圧変換器１１で電圧に変換したものを、電圧出力型の場合は電流電圧変換器１１を経由しない信号をそれぞれ選択する。
【００５１】
加算器１４は、モニタ受光信号のオフセット調整をするものであり、オフセット（Ｏｆｆｓｅｔ）ＤＡＣ１３から供給されるオフセット電圧を加減算する。
ゲイン切換アンプ（ＧＣＡ）１５は、オフセット調整したモニタ受光信号をゲイン切換え信号ＰＤＧａｉｎに従ってゲインを切換え（例えば、１／４／８／１６倍の４段階の切換え）ゲイン調整を行う。一般に、再生光量と記録光量とは大きく異なるので、少なくとも記録／再生時でゲインを切換えるようにするとよい。受光素子ＰＤの受光電流Ｉｐｄは、ＬＤ出射光Ｐｏに対する光利用効率をα、ＰＤの受光感度をＳとすると、次の数６に示す式に基づく演算処理で求めることができる。
【００５２】
【数６】
Ｉｐｄ＝α・Ｓ・Ｐｏ
【００５３】
また、電流電圧変換器（１１あるいはモニタ受光部内蔵のもの）の変換ゲインをＧｉｖ，ゲイン切換アンプ１５のゲインをＧｐｄとすると、モニタ信号Ｉｍｏｎは次の数７に示す式に基づく演算処理で求めることができる。ここで、Ｋｐｄ＝Ｇｉｖ・α・Ｓとなる。なお、オフセットＤＡＣ１３から供給されるオフセット電圧は省略した。
【００５４】
【数７】
Ｉｍｏｎ＝Ｇｐｄ・Ｇｉｖ・Ｉｐｄ＝Ｇｐｄ・Ｋｐｄ・Ｐｏ
【００５５】
［基準信号生成部］
基準信号生成部７は、ストラテジ変調部５から供給される目標レベル信号Ｄｔａｒｇｅｔから発光基準信号Ｉｔａｒｇｅｔを生成する。
ターゲット（Ｔａｒｇｅｔ）ＤＡＣ２５は、目標レベル信号Ｄｔａｒｇｅｔに応じて発光基準信号Ｉｔａｒｇｅｔを出力する。
ここで、出射光量Ｐｔと発光基準信号Ｉｔａｒｇｅｔとの比例係数をＫとすると、次の数８に示す式に基づく演算処理で求めることができる。
【００５６】
【数８】
Ｉｔａｒｇｅｔ＝Ｋ・Ｐｔ
【００５７】
また、この比例係数ＫはターゲットＤＡＣ２５のスケールＫｔを設定することにより決定され、予めＫ＝Ｋｐｄとなるように設定する。スケールＫｔの設定はＤＡＣや外部からの電圧／電流印加により行えばよい。Ｋｐｄは使用する受光素子ＰＤのＬＤ出射光Ｐｏに対する光利用効率α，受光感度Ｓのバラツキによって変わるので、初期調整時にこの設定を行うとよい。
さらに、ゲイン切換アンプ１５のゲインＧｐｄに合わせて（つまり、Ｋ＝Ｋｐｄ・Ｇｐｄとなるように）スケールＫｔを変更するようにしてもよい。さらにまた、Ｋｔを一定とし、Ｇｐｄを調整することにより（この場合、ゲイン切換アンプ１５はより多段階のゲイン調整を可能とする）、Ｋ＝Ｋｐｄ・Ｇｐｄとなるようにしてもよい。
したがって、ＬＤ出射光Ｐｏが目標出射光量Ｐｔと等しい場合、Ｉｍｏｎ＝Ｉｔａｒｇｅｔとなる。
【００５８】
また、基準信号生成部７は、図１１に示すように、変調部６と同様にして発光レベルに対応した複数個のＰ０ＤＡＣ３０ａ〜ＰｎＤＡＣ３０ｎと変調スイッチ信号Ｓｍｏｄに従って出力が選択されるスイッチ３１により構成してもよい。
なお、各ＤＡＣのスケールは上述のスケールＫｔを設定する。このようにすれば高速応答性を持ったＤＡＣの実現が困難な場合に好適である。
さらには、これらＤＡＣとスイッチを共有化するため、図１５に示すような構成にしてもよい。ここで、可変ゲインアンプ３５はスケールＤＡＣ２４の出力Ｋｍ′（＝Ｋｍ／Ｋｔ）に応じて設定されたゲインで発光基準信号Ｉｔａｒｇｅｔを増幅し、ＬＤ変調電流Ｉｍｏｄを生成する。
【００５９】
［バイアス電流制御部］
バイアス電流制御部４は、ＰＤアンプ部２から供給されるモニタ信号Ｉｍｏｎが基準信号生成部７から供給される発光基準信号Ｉｔａｒｇｅｔと一致するようバイアス電流Ｉｂｉａｓを制御する。
発光基準信号Ｉｔａｒｇｅｔは目標出射光量を示しているので、出射光量をモニタしているモニタ信号Ｉｍｏｎが発光基準信号Ｉｔａｒｇｅｔと一致するようにすれば光源を目標照射光量で照射させることができる。
誤差アンプ２０は、モニタ信号Ｉｍｏｎと発光基準信号Ｉｔａｒｇｅｔとの差分信号を増幅し、次段に供給する。
【００６０】
Ｓ／Ｈ積分器２１は、誤差アンプ２０から供給される増幅された差分信号を積分し、バイアス電流Ｉｂｉａｓを出力するものであり、制御タイミング信号ＡｐｃＳｍｐ信号によってサンプル時（例えば、ＡｐｃＳｍｐ＝ハイ（Ｈｉｇｈ）とする）には積分動作を行ってバイアス電流制御を行い、ホールド時には制御値であるバイアス電流Ｉｂｉａｓをホールドする。
このようにして差分信号がゼロとなるように、すなわちモニタ信号Ｉｍｏｎと発光基準信号Ｉｔａｒｇｅｔとが一致するようにバイアス電流Ｉｂｉａｓを制御する。また、ホールド時は誤差アンプ２０出力を積分しないので、誤差アンプの回路オフセットによる制御値のドリフトなどを低減できる。
【００６１】
一般に、受光素子ＰＤの受光信号は使用する受光素子ＰＤや回路によって帯域制限を受けており、モニタ信号Ｉｍｏｎは、例えば図１０の（ｅ）に示すような波形になる。また、同図の（ｅ′）は、より帯域の低い場合のモニタ信号Ｉｍｏｎ′の波形例であり、記録速度が上がると光源の変調帯域も高くなるので、ＰＤ帯域が同等でも相対的にこのような波形になる。
したがって、光源を高速変調している期間（マルチパルス発光時）は、モニタ信号Ｉｍｏｎから正確な発光レベルを得ることは困難である。
この実施形態ではこのような問題も考慮してあり、モニタ信号Ｉｍｏｎ（またはＩｍｏｎ′）の値が整定した期間のみモニタ信号Ｉｍｏｎと発光基準信号Ｉｔａｒｇｅｔとの比較を行っている。
【００６２】
つまり、上述のように制御タイミング信号ＡｐｃＳｍｐ信号が「ハイ（Ｈｉ）」の期間のみ差分信号の積分動作を行うようにし、この制御タイミング信号ＡｐｃＳｍｐをスペースレベルパワーＰ０照射時の所定期間（モニタ信号の帯域を考慮して決める）「ハイ（Ｈｉ）」となるように生成するようにしている。さらには、モニタ信号の帯域によっては所定の長さ以上のスペースでサンプルを行い、それ以下ではサンプルしないようにしてもよい。例えば、図１０において二つ目のスペースではサンプルしないものとする。
このようにして、スペースレベルパワーＰ０が常に目標値Ｐｔ０に等しくなるように制御することができる。
また、ＳＲＳｅｌ信号によって制御速度を変更することができる。これは積分器への充放電電流（例えば、誤差アンプ２０の出力電流）を変更することによって行う。これにより、記録／再生時にそれぞれ制御速度を最適値に設定することが可能になる。
【００６３】
また、バイアス電流制御部４を、図１２のように構成しても同様にスペースレベルパワーＰ０が常に目標値Ｐｔ０に等しくなるように制御することができる。Ｓ／Ｈ３２は、制御タイミング信号ＡｐｃＳｍｐのタイミングによってモニタ信号Ｉｍｏｎをサンプルするサンプルホールド回路であり、ここではスペースレベルパワーＰ０照射時の値Ｉｍｏｎ０をサンプルする。
ＢｔＤＡＣ３３は、スペースレベルパワーの発光基準信号Ｉｔ０を生成するＤＡＣであり、スペースレベルパワーを示す変調データＤｍｏｄ０が入力される。誤差アンプ３４は、Ｓ／Ｈ３２の出力とＢｔＤＡＣ３３の出力との差分信号を増幅し、バイアス電流Ｉｂｉａｓを出力する。また、誤差信号の積分機能も兼ねる。これにより、Ｉｍｏｎ０とＩｔ０が一致するようにバイアス電流を制御することができる。
【００６４】
［微分量子効率制御部］
微分量子効率制御部３は、駆動している光源の微分量子効率ηを検出してその検出結果に応じてＬＤ変調電流のスケールＳｃａｌｅを制御する。
これはバイアス電流を制御するレベル（ここではスペースレベルパワーＰ０）とは異なるレベル（ここでは平均値レベルパワーＰａｖｇ）でのモニタ信号を検出し、これがそのレベルの発光基準信号Ｉｔａｒｇｅｔと一致するようにスケールＳｃａｌｅを制御する。
ＬＰＦ１６は、モニタ信号Ｉｍｏｎの平均値レベルパワーを抽出するローパスフィルタであり、図１０の（ｇ）に示すような波形のモニタ平均値レベル信号ＩｍｏｎＡｖｇを出力する。
【００６５】
ＬＰＦ１７は、発光基準信号Ｉｔａｒｇｅｔの平均値レベルを抽出するローパスフィルタであり、図１０の（ｈ）に示すような波形の発光基準平均値レベル信号ＩｔＡｖｇを出力する。これら二つのローパスフィルタのカットオフ周波数は記録データ信号Ｗｄａｔａの信号帯域に比べて十分低いものとし、ほぼ等しくなるようにする。
比較器（Ｃｏｍｐ）１８は、モニタ平均値レベル信号ＩｍｏｎＡｖｇと発光基準平均値レベル信号ＩｔＡｖｇとを比較し、モニタ平均値レベル信号ＩｍｏｎＡｖｇが発光基準平均値レベル信号ＩｔＡｖｇよりも小さかったらアップ（Ｕｐ）信号を、大きかったらダウン（Ｄｏｗｎ）信号を出力する。
【００６６】
カウンタ（Ｃｏｕｎｔ）１９は、比較器１８の出力する比較結果アップ／ダウン（Ｕｐ／Ｄｏｗｎ）信号によってカウンタ値を増減する。そのカウンタ値の更新はＣ−ＣＫ信号の立上りで行う。このカウント値はＳｃａｌｅ信号として変調部６に供給され、Ｓｃａｌｅ信号の増減に併せてＬＤ変調電流Ｉｍｏｄが増減し、発光量が増減する。したがって、このＣ−ＣＫ信号の周波数を変更することによってこの制御帯域を変更することができる。
カウンタ１９の初期値はＣＬＤ信号によって設定され、ＰＳｃａｌｅ（記録時初期値）あるいはＲＳｃａｌｅ（再生時初期値）が設定される。
【００６７】
情報記録媒体がＣＤやＤＶＤの場合、記録データ信号Ｗｄａｔａは直流成分がほぼゼロとなるように変調規則が定められているので、モニタ平均値レベル信号ＩｍｏｎＡｖｇと発光基準平均値レベル信号ＩｔＡｖｇはほぼ一定レベルとなり、容易にこれらの比較が行えるため、この実施形態が好適である。
より詳細には、モニタ平均値レベル信号ＩｍｏｎＡｖｇと発光基準平均値レベル信号ＩｔＡｖｇがほぼ一定になるほどＬＰＦ１６，ＬＰＦ１７のカットオフ周波数は低くせず、データパターン依存によって多少変動する（図１０の（ｇ）と（ｈ）に破線で示す部分）。また、精度よい記録を行うためにデータパターンなどに応じてマルチパルスのデューティー比を変更するため、これによっても多少変動する。
【００６８】
しかし、上述したようにＬＰＦ１６，ＬＰＦ１７のカットオフ周波数をほぼ等しくしたので、二つの信号の変動量はほぼ等しく、同時刻の信号を比較すれば、上記のような変動の影響は問題ない。換言すれば、これらの変動量を抑制するほどカットオフ周波数を下げる必要がないので、これによって制御帯域が低くなったり、ここでの位相遅れなどによって安定性が低下することはない。
また、データパターンによる検出値の変動を抑制するには所定のデータパターンでの所定タイミングでカウンタの更新を行うようにＣ−ＣＫ信号を生成すればよい。
さらに、記録速度などにより最適なカットオフ周波数は異なるので、ＬＰＦ１６，ＬＰＦ１７のカットオフ周波数はカットオフ周波数制御信号ＦｃＣｔｒｌによって連動して設定可能としておくとよい。
【００６９】
上述のようにして、バイアス電流制御と微分量子効率制御を行うと、光源の閾値電流及び微分量子効率変動に対しても常に所望の光出力が得られ、正確な記録が可能となる。
また、バイアス電流制御と微分量子効率制御のうち、一方の制御帯域を他方に比べ十分速く（遅く）することにより収束性を向上させることができる。通常の光源は微分量子効率の変動が閾値電流の変動に比べ比較的緩やかに起こるので、バイアス電流の制御帯域を速くしておくとよい。
【００７０】
次に、図１３に基づいて上記微分量子効率制御部３及び上記バイアス電流制御部４の他の内部構成例を説明する。図９と同じ機能を果たすブロックについては図示とその説明を省略する。
図１３において、バイアス電流制御部４のＬＰＦ４２は、モニタ信号Ｉｍｏｎの平均値レベルＩｍｏｎＡｖｇを抽出するローパスフィルタである。
ＬＰＦ４３は、発光基準信号Ｉｔａｒｇｅｔの平均値レベルＩｔＡｖｇを抽出するローパスフィルタである。この二つのＬＰＦはそれぞれ図９のＬＰＦ１６，ＬＰＦ１７と同様の機能を果たし、その出力信号は図１０の（ｇ）と（ｈ）に示すような波形になる。
【００７１】
誤差アンプ２０は、モニタ平均値レベル信号ＩｍｏｎＡｖｇと発光基準平均値レベル信号ＩｔＡｖｇとの差分信号を増幅し、次段に供給する。
Ｓ／Ｈ積分器２１は、上述と同様に誤差アンプ２０から供給される増幅された差分信号を積分し、バイアス電流Ｉｂｉａｓを出力するものであり、ここでは常に制御タイミング信号ＡｐｃＳｍｐは「ハイ（Ｈｉ）」として積分動作を行い、バイアス電流Ｉｂｉａｓを供給する。
このようにして、モニタ信号と発光基準信号の平均値レベルが等しくなるようにバイアス電流Ｉｂｉａｓを制御することができる。また、制御タイミング信号ＡｐｃＳｍｐによって所定の期間だけ積分動作を行うようにしてもよい。
【００７２】
上述と同様の理由で、ＬＰＦ４２とＬＰＦ４３のカットオフ周波数はほぼ同じとするとよい。また、このカットオフ周波数を変更可能としておくとよい。
微分量子効率制御部３のＳ／Ｈ４０は、ＥｔａＳｍｐ信号のタイミングでモニタ信号Ｉｍｏｎをサンプルするサンプルホールド回路である。ここではスペースレベルパワーＰ０をサンプルするものとし、ＥｔａＳｍｐ信号のタイミングは図１０の（ｊ）に示すような波形の制御タイミング信号ＡｐｃＳｍｐと同様にすればよい。
ＥｔａＤＡＣ４１は、スペースレベルパワーの発光基準信号Ｐｔ０を生成するＤＡＣであり、変調データＤｍｏｄ０が入力され、このＤＡＣのスケールはターゲットＤＡＣ２５のスケールＫｔと等しくする。
【００７３】
比較器１８は、Ｓ／Ｈ４０の出力とＥｔａＤＡＣ４１の出力とを比較し、その比較結果によってアップ／ダウン（Ｕｐ／Ｄｏｗｎ）信号を出力する。カウンタ１９は上述と同様に比較結果によってカウンタ値を増減する。
このようにして、バイアス電流制御と微分量子効率制御を行うと、光源の閾値電流及び微分量子効率変動に対しても常に所望の光出力が得られるようになる。
【００７４】
図１４は、上記微分量子効率制御部３のさらに他の内部構成例を示すブロック図である。
Ｓ／Ｈ４４は、ＥｔａＳｍｐ信号のタイミングでモニタ信号Ｉｍｏｎをサンプルするサンプルホールド回路である。ここではスペースレベルパワーＰ０をサンプルするものとする。
ＬＰＦ４５は、モニタ信号Ｉｍｏｎのモニタ平均値レベル信号ＩｍｏｎＡｖｇを抽出するローパスフィルタである。
差分器４６は、Ｓ／Ｈ４４の出力とＬＰＦ４５の出力との差分信号ΔＩｍｏｎを生成する。その差分信号ΔＩｍｏｎは、光出力のスペースレベルと平均値レベル差ΔＰ（図３乃至図５または図６乃至図８に示す）に相当する。
【００７５】
ＥｔａＤＡＣ４７は、目標光出力の平均値レベルパワーＰｔＡｖｇとスペースレベルパワーＰｔ０との差分ΔＰｔに相当する基準値ηｔａｒｇｅｔ（＝ＩｔＡｖｇ−Ｉｔ０）を生成する。
比較器１８及びカウンタ１９は、上述と同様の動作を行う。これにより、スペースレベルと平均値レベルの二点間のレベル差から微分量子効率が検出でき、これが所望値になるように制御することができる。
この微分量子効率制御部３と図９あるいは図１３に示した構成のバイアス電流制御部とを組み合わせれば、光源の閾値電流及び微分量子効率変動に対しても常に所望の光出力が得られるようになる。
【００７６】
図１７は、上記微分量子効率制御部３及び上記バイアス電流制御部４のさらに他の内部構成例を示す図である。
反転アンプ５０は、発光基準信号ＩｔａｒｇｅｔをＶｒｅｆ基準に反転させる反転アンプである。この場合のバイアス電流制御部４及び微分量子効率制御部３は、モニタ信号Ｉｍｏｎと反転した発光基準信号Ｉｔａｒｇｅｔ′を入力し、それぞれ図９あるいは図１３に示した微分量子効率制御部３及びバイアス電流制御部４とそれぞれ同様の制御を行う。それぞれスイッチＳ１〜Ｓ１１の設定により、制御処理を変更できる。以下、各スイッチ設定における制御動作を説明する。
【００７７】
［バイアス電流制御部］
（１）平均値制御処理
このバイアス電流制御部４は、このモードでは、スイッチＳ２，Ｓ３をオンし、スイッチＳ１，Ｓ４をオフし、またスイッチＳ５は常時オンとなるように制御タイミング信号ＡｐｃＳｍｐを生成する。このモードでは図１３に示したバイアス電流制御部４と同様の動作を行う。
抵抗Ｒ１，抵抗Ｒ２，コンデンサＣ１及びアンプ５２でローパスフィルタを構成し、モニタ信号Ｉｍｏｎと反転発光基準信号Ｉｔａｒｇｅｔ′の和の平均値レベルパワーを抽出する。つまり、モニタ信号Ｉｍｏｎと発光基準信号Ｉｔａｒｇｅｔの差分の平均値レベルパワーを抽出する。これはＬＰＦ４２，ＬＰＦ４３及び誤差アンプ２０に対応する。ここで、Ｒ１＝Ｒ２とすればそれぞれの信号のカットオフ周波数は等しくなり、ＬＰＦ４２，ＬＰＦ４３の機能が簡便に実現できる。
【００７８】
スイッチＳ５とコンデンサＣｓ２とでサンプルホールド回路５３が構成されるが、ここではスイッチＳ５は常時オンとしているのでアンプ５２が積分され、バッファアンプ５４を介してバイアス電流Ｉｂｉａｓを供給する。
したがって、モニタ信号Ｉｍｏｎと発光基準信号Ｉｔａｒｇｅｔの差分の平均値レベルパワーがゼロとなるように、つまり二つの平均値レベルパワーが等しくなるように制御が働く。
また、制御タイミング信号ＡｐｃＳｍｐを用いるようにすれば、所定期間のみ誤差分をサンプルして積分できる。
【００７９】
（２）サンプル制御処理
このバイアス電流制御部４は、このモードではスイッチＳ１，Ｓ４をオンし、スイッチＳ２，Ｓ３をオフする。また、スイッチＳ５は制御タイミング信号ＡｐｃＳｍｐに従ってオンオフするものとし、図９に示したバイアス電流制御部４と同様の動作を行う。
アンプ５２は、モニタ信号Ｉｍｏｎと反転発光基準信号Ｉｔａｒｇｅｔ′の和信号、つまりモニタ信号Ｉｍｏｎと発光基準信号Ｉｔａｒｇｅｔの誤差信号を出力する。
サンプルホールド回路５３は、制御タイミング信号ＡｐｃＳｍｐがハイ（Ｈｉ）の期間に誤差信号を積分し、バッファアンプ５４を介してバイアス電流Ｉｂｉａｓを供給する。すなわち図９に示したサンプルホールド回路と同様の機能を果たす。
【００８０】
［微分量子効率制御部］
（１）サンプル制御処理
この微分量子効率制御部３は、このモードでは、スイッチＳ６，Ｓ７，Ｓ１２，Ｓ１３，Ｓ１４をオフ、スイッチＳ１０をオン、スイッチＳ１１をオフとし、スイッチＳ８をＥｔａＳｍｐ信号に従ってオンオフするものとし、図１３に示した微分量子効率制御部３と同様の動作を行う。
バッファアンプ５５とスイッチＳ８とコンデンサＣｓ１により、ＥｔａＳｍｐ信号に従ってモニタ信号Ｉｍｏｎをサンプルするサンプルホールド回路５７を構成する。これはＳ／Ｈ４０に対応する。そして、アンプ５６，アンプ５８（正転アンプとして機能する）を経てコンパレータ６０に供給される。また、ＥｔａＤＡＣ５９の出力も同様にコンパレータ６０に供給され、比較を行い、比較結果に従ってアップ／ダウン（Ｕｐ／Ｄｏｗｎ）信号を出力する。当然これらはＥｔａＤＡＣ４１及び比較器１８に対応する。
【００８１】
ＥＸＯＲ６１は、ＣｎｔＵｐ／Ｄｎ信号に基づいてＵｐ／Ｄｏｗｎ信号の極性を選択する。
カウンタ６２は、ＥＸＯＲ６１の出力のＵＰ信号に従ってＣ−ＣＫ信号のタイミングでカウンタ値の増減を行い、スケール信号Ｓｃａｌｅを出力する。また、カウンタ値の増減や初期値の設定はカウンタ制御部６４によって制御する（詳細な説明は後述する）。これはカウンタ１９に対応する。すなわち、図１３に示したカウンタと同様の機能を果たす。
また、スイッチＳ９をオンにすると、サンプルホールド回路５７の出力を増幅することができ、サンプルレベルパワーが低レベルである時有効である。
【００８２】
（２）平均値制御処理
この微分量子効率制御部３は、このモードでは、スイッチＳ６，Ｓ７をオン、スイッチＳ１０，Ｓ１２，Ｓ１３，Ｓ１４をオフ、スイッチＳ１１をオンとし、図９に示した微分量子効率制御部３と同様の動作を行う。上述と同様に、抵抗Ｒ３，抵抗Ｒ４，コンデンサＣ２及びアンプ５８でローパスフィルタを構成し、モニタ信号Ｉｍｏｎと反転発光基準信号Ｉｔａｒｇｅｔ′の和の平均値レベルパワーを抽出する。
一方、ＥｔａＤＡＣ５９はＶｒｅｆを出力するように設定しておき、これとアンプ５８の出力を比較することにより、モニタ信号Ｉｍｏｎの平均値レベルＩｍｏｎＡｖｇと発光基準信号の平均値レベルＩｔＡｖｇを比較しているのと同等になる。他は上述の通りである。これにより図９に示したものと同様の機能を果たす。上記からわかるように、この実施形態ではスイッチの設定により、上記光源制御処理の処理を実施できる。
【００８３】
上述までの例では、検出値としてスペースレベルと平均値レベルの場合について説明したが、他のレベルを検出して制御しても同様の効果が得られる。例えば、記録マークを形成するのに図１６の（ｄ）に示すような一つの矩形パルスの光波形で記録する場合、モニタ信号Ｉｍｏｎは制限される帯域によっては、ピークレベルパワーＰ１を検出できるようになる。あるいは、所定のマーク長であれば可能となる。したがって、上述の実施形態をピークレベルと平均値レベル、あるいはピークレベルとスペースレベルに置き換えて実施するようにしてもよい。
【００８４】
ところで、上記カウンタ１９あるいはカウンタ６２の記録開始時の初期値、すなわちスケール信号Ｓｃａｌｅの初期値は、予め決められた初期値ＰＳｃａｌｅを設定するか、情報記録直前に算出（例えば、実際に記録が行われないように非合焦時として発光させて算出）した値を設定するか、直前の記録時の値を保持するかのいずれかである。それらの初期値は次の理由で目標値とずれている可能性がある。
すなわち、通常再生と記録の切り換わり目では、記録パワーが大きく違うことから光源の温度変動が大きくなることが多く、微分量子効率が大きくずれていたり、光ピックアップによっては合焦時と非合焦時では戻り光の影響などによって駆動電流−光出力特性が異なる場合があり、非合焦時に算出した微分量子効率の初期値が実際の記録時のものとはずれていたりする。
【００８５】
したがって、情報記録開始直後から正確な光量で記録するためには、高速に微分量子効率制御が行われるようにすることが望まれる。
一方、通常時には光源の温度変化は緩やかなので、微分量子効率制御速度は高速性は要求されず、制御精度が重視される。
本実施形態では、上記のように要求される微分量子効率制御速度のコントロールをカウンタ制御部６４が主に担う（カウンタ１９は同様の機能を持つものとする）。
【００８６】
次に、この発明の請求項２に係る機能を説明する。
通常時はカウンタの増減値はアップ（ＵＰ）信号に従って±１ずつとする。高速性の要求される情報記録開始直後の所定期間（高速モードと称し、ＦａｓｔＭｏｄｅ信号によって指示される）では、ＵＰ信号に従う増減値を大きくする（例えば±４とする）ことにより、目標値到達までの時間を短縮することができる。
次に、この発明の請求項３に係る機能を説明する。
または、情報記録開始直後の所定期間だけカウンタ値の更新頻度を高く、つまりＣ−ＣＫ信号の周波数を高くするようにしてもよい。この機能はＣ−ＣＫ信号を生成するストラテジ変調部５が備える。または、上記二つを組み合わせたものであってもよい（この発明の請求項４に係る機能の説明）。
【００８７】
また、通常時にはカウンタのアップ／ダウンはＵＰ信号によらず、カウンタ制御部６４内に設けたサブカウンタをＵＰ信号及びＣ−ＣＫ信号により増減するよう動作させ、サブカウンタのカウント値が所定値（例えば＋２）以上になればカウンタ６２をアップするように、所定値（例えば−２）以下ならばダウンするようにしてもよい。さらに、カウンタの増減値は段階的に変更していくようにしてもよい。
次に、この発明の請求項９〜１１に係る機能を説明する。
また、上記カウンタの増減値を変更可能としておくと、制御帯域が変更可能となり、駆動する光源や搭載する光ピックアップに応じて好適な値に設定できる。さらに、情報記録速度に応じて要求される微分量子効率制御の応答速度は異なるので、情報記録速度に応じて制御帯域を変更するようにするとよい。
【００８８】
また、高速モードとなる情報記録開始直後の所定期間はＦａｓｔＭｏｄｅ信号によって指示する。そのＦａｓｔＭｏｄｅ信号は再生→記録切り換えに同期して立ち上がるようにし、予め定めた所定時間ハイとなるように生成されコントローラ１０６から直接、または制御部１０を介して供給される。
次に、この発明の請求項７，８に係る機能を説明する。
または、再生／記録を示すＲ／Ｗ信号に従い、光源駆動装置１内で生成するようにしてもよい。また、高速モードとする期間は、カウンタ値またはＵＰ信号の直近のＮ回平均（例えばＮ＝８）が所定値（例えば±４）以内でない期間とし、所定値以内となったら通常モードに移行するようにするとよい（目標値付近になるとＵＰ／ＤＯＷＮは均等となるので平均値はゼロに近づくため）。
このようにすれば、目標値までは高速に追従し、目標値付近になると精度よく制御できるようになる。
【００８９】
次に、図１８に基づいて説明した相変化型記録媒体に好適な光源制御処理を、図１７に示した微分量子効率制御部３及びバイアス電流制御部４に適用した場合の各部動作を図１９に示す信号波形図に基づいて説明する。なお、光源制御装置の構成は別の形態であっても同様に動作する。
図１９は信号波形図の一例であり、同図の（ｄ）に示すような光波形で記録するものとする。また、所定の長さ以上のスペースには所定の間隔でη検出用レベルパワーＰ３で発光させたパルス（図中に破線円（ア）で示すパルス）を挿入する。上述した通り、このパルスによる記録性能への悪影響はほとんどない。
バイアス電流Ｉｂｉａｓの制御動作は上述と同様であり、上記サンプル制御処理を採る場合は図１９の（ｇ）に示すＡｐｃＳｍｐ信号に従ってイレースレベルパワーＰ１をサンプルする。
【００９０】
また、微分量子効率制御部３は以下のように動作する。
（３）第二サンプル制御処理
このモードでは、スイッチＳ６，Ｓ７，Ｓ９，Ｓ１１，Ｓ１３，Ｓ１４をオフにし、スイッチＳ１０，Ｓ１２をオンとし、スイッチＳ８を図１９の（ｈ）に示すＥｔａＳｍｐ信号に従ってオンオフする。
サンプルホールド回路５７は、ＥｔａＳｍｐ信号に従ってＩｍｏｎ信号をサンプルする（アンプ５６通過後をＩｍｏｎ＿ｓｈとする）。ここでは、図中に（イ）で示す期間にη検出用パルス挿入前のイレースレベルをサンプルするようにしているが、他のイレースレベル照射期間でもよい。
【００９１】
アンプ５８は、Ｉｍｏｎ＿ｓｈ−Ｉｍｏｎの演算を行う減算アンプとして働き、差分信号ｄｉｆｆを出力する。図１９では説明を簡単にするために、同図の（ｆ）のようにｄｉｆｆ信号の反転を示す。
すなわち、図中破線枠（ア）で示すη検出用パルス照射期間では、ΔＰ＝Ｐ３−Ｐ１に相当する出力Δがコンパレータ６０に供給される。また、ＥｔａＤＡＣ５９はこの差分の目標値ΔＰｔに相当する値が設定されコンパレータ６０に供給する。
コンパレータ６０は、その２つの値を比較し、その比較結果に基づいてアップ／ダウン（Ｕｐ／Ｄｏｗｎ）信号を出力する。カウンタ６２は、上述と同様に、図中（ｉ）で示すＣ−ＣＫ信号のタイミングでカウンタ値の増減を行う。
このようにすれば、図１８によって説明した光源制御処理に対応した微分量子効率制御が行える。
【００９２】
次に、この発明の請求項１２に係る機能を説明する。
また、情報記録の高速化に伴い、η検出用レベルパワーのサンプル，比較，カウンタの動作の時間が十分に確保できない場合は、微分量子効率制御部３を次のように動作させるとよい。
（４）ダブルサンプル制御処理
このモードでは、スイッチＳ６，Ｓ７，Ｓ９，Ｓ１１，Ｓ１２をオフ、スイッチＳ１０，Ｓ１３をオンとし、スイッチＳ８を図１９の（ｌ）に示すＥｔａＳｍｐ信号に従ってオンオフし、スイッチＳ１４を図１９の（ｍ）に示すＥｔａＸＳｍｐ信号に従ってオンオフする。
バッファアンプ５５とスイッチＳ１４とコンデンサＣｓ２により、ＥｔａＸＳｍｐ信号に従ってモニタ信号Ｉｍｏｎをサンプルするサンプルホールド回路を構成する。このサンプルホールド回路ではη検出用レベルパワーＰ３をサンプルしている（バッファアンプ６３通過後をＩｍｏｎ＿ｓｈ２とする）。
【００９３】
アンプ５８は、Ｉｍｏｎ＿ｓｈ−Ｉｍｏｎ＿ｓｈ２の演算を行う減算アンプとして働き、差分信号ｄｉｆｆを出力する（反転信号を図１９の（ｊ）に示す）。
すなわち、ΔＰ＝Ｐ３−Ｐ１に相当する出力Δがコンパレータ６０に供給される。その他のブロックは上述と同様の動作を行う。
このようにすれば、二つのサンプルホールド回路が値をホールドしている間は差分信号ｄｉｆｆも出力Δを保持しており、図１９の（ｎ）に示すＣ−ＣＫ信号によるカウンタ増減のタイミングはサンプルホールド回路のホールド期間中であればいつでもよい（厳密にはサンプルホールド回路の放電時間を考慮する）。
したがって、サンプル，比較，カウンタの動作の時間が十分に確保でき、高速化に適している。
【００９４】
カウンタ制御部６４は上述と同様に動作し、前記高速モードを用いれば、高速な微分量子効率制御が行える。但し、上記（３）や（４）ではη検出用パルスパワーの挿入は所定長以上のスペースでなければできないので、カウンタの更新頻度を上げるには限度がある。
次に、この発明の請求項５に係る機能を説明する。
図２０は、上記図１９とは異なる光波形で動作させた場合の各部の信号波形を示す図である。
図２０の（ｄ）に示す光波形のように図中破線枠（ウ）で示す所定のスペースのイレースレベルパワーをη検出用レベルパワーＰ３として発光させる（例えば、Ｐ１とＰ３を交互にする）。η検出用レベルパワーＰ３は通常のイレースレベルパワーＰ１から多少変更しても記録特性上はほとんど影響ない。
【００９５】
バイアス電流Ｉｂｉａｓの制御動作は上述と同様であり、サンプル制御処理を採る場合は、図２０の（ｇ）に示すＡｐｃＳｍｐ信号に従ってイレースレベルパワーＰ１をサンプルする。
また、微分量子効率制御部３は上記（３）の第二サンプル制御処理を採る。図２０の（ｈ）に示すＥｔａＳｍｐ信号に従って同図の（ｅ）に示すＩｍｏｎ信号をサンプルし（アンプ５６を通過後をＩｍｏｎ＿ｓｈとする）、同図の（ｊ）に示すＣ−ＣＫ信号に従ってη検出用レベルパワーＰ３発光時（図中破線枠（ウ）で示す部分）のタイミングで比較とカウンタの増減を行う。
このようにすれば、短スペース長でもη検出用レベルパワーで発光できるので、カウンタの更新頻度を容易に上げることができ、制御帯域を高速化することができる。
また、上述と同様に（４）ダブルサンプル制御処理を選択してもよい。図２０の（ｊ）〜（ｎ）はその場合の各信号波形例である。
【００９６】
次に、この発明の請求項６に係る機能を説明する。
さらには、η検出用レベルパワーＰ３のレベルによっては、前後の記録マークのエッジが若干変動する場合がある。このような場合には、η検出用レベルパワーで照射するスペースの前後のマークを形成するマルチパルス列（図２０に破線枠（エ）で示す波形部分）の少なくとも一部のパルス幅やパワーを変更するようにすると、より正確に記録マークが形成されるようになる。
【００９７】
次に、この発明の各請求項における各手段が上記どの箇所に相当するかをまとめて説明する。
上記図９，図１３，図１４の１９の内部機能または図１７の６２の内部機能または／かつ図９の５の各部が、この発明の請求項１の制御手段の機能を果たす。
上記図９の３，４または図１２〜１５，１７の各部が、この発明の請求項２の光源制御手段の機能を果たし、上記図９，図１３，図１４の１９の内部機能または図１７の６２の内部機能が、この発明の請求項２の制御手段の機能を果たす。
上記図９の３，４または図１２〜１５，１７の各部が、この発明の請求項３の光源制御手段の機能を果たし、上記図９の５の機能部が、この発明の請求項３の制御手段の機能を果たす。
上記図９の３，４または図１２〜１５，１７の各部が、この発明の請求項４の光源制御手段の機能を果たし、上記図９，図１３，図１４の１９の内部機能または図１７の６４と図９の５の各部が、この発明の請求項４の制御手段の機能を果たす。
上記図１３の３または図１４または図１７の３及び制御タイミング信号を生成する図５の５の各部が、この発明の請求項５の上記情報記録開始後の所定期間は、所定のスペースのレベルが他のスペースレベルとは異なる第二のスペースレベルで発光させて情報を記録し、上記所定の二つのレベル差が前記スペースレベルと前記第二のスペースレベルとのレベル差になるようにする手段の機能を果たす。
上記図５の５の機能部が、この発明の請求項６の上記第二のスペースレベルで発光するスペースの前後の記録マークを形成するパルス列のうちの少なくとも一部のパルス幅又はパワーを第二のスペースレベルに応じて変更する手段の機能を果たす。
上記図９，図１３，図１４の１９の内部機能または図１７の６４の各部が、この発明の請求項７の上記情報記録開始後の所定期間が、情報記録開始後から上記変調電流のスケール制御値が制御目標値の所定範囲内になるまでの期間になるようにする手段の機能を果たす。
上記図９，図１３，図１４の１９の内部機能または図１７の６４の各部が、この発明の請求項８の上記スケールの増減のうち増加を＋１にし、減少を−１にして直近の複数回の平均値をとる平均化手段と、上記情報記録開始後の所定期間が、情報記録開始後から上記平均化手段によってとった平均値の絶対値が所定範囲内になるまでの期間になるようにする手段の機能を果たす。
上記図１の１０６がこの発明の請求項９の上記制御帯域を情報記録速度に応じて変更する手段の制御機能を果たし、図９の制御部１０などを介してその指示を行う。
上記図１の１０６がこの発明の請求項１０の上記スケールの増減値を情報記録速度に応じて変更する手段の制御機能を果たし、図９の制御部１０などを介してその指示を行う。
上記図１の１０６がこの発明の請求項１１の上記スケールの更新頻度を情報記録速度に応じて変更する手段の制御機能を果たし、図９の制御部１０などを介してその指示を行う。
上記図１７の５７の機能部が、この発明の請求項１２の第一のサンプルホールド手段の機能を果たし、上記図１７の５５，Ｓ１４，Ｃｓ３で構成されるサンプルホールド回路が、この発明の請求項１２の第二のサンプルホールド手段の機能を果たす。また、上記図１７の６０の機能部が、この発明の請求項１２の比較手段の機能を果たし、上記図１７の６２の機能部が、この発明の請求項１２のスケール設定手段の機能を果たす。
【００９８】
この実施形態の情報記録再生装置によれば、情報記録開始直後は高速に所望の光量になるように制御でき、記録開始直後のデータも正確に記録できる。
また、情報記録開始直後は高速に所望の光量になるように簡便に制御でき、記録開始直後のデータも正確に記録できる。
さらに、容易にスケール制御の制御帯域を高くでき、情報記録開始直後は高速に所望の光量になるように制御できる。
また、状況に応じて適切にスケール制御の制御帯域を高くできる。また、より高速なスケール制御が可能となる。
さらに、短スペース長でも第二のスペースレベルで発光して検出できるので、更新頻度を容易に上げることができ、制御帯域を高速化することができる。
また、特殊なパワーで発光させても、正確に記録マークが形成できる。
さらに、目標値までは高速に追従し、目標値付近になると精度よく制御できるようになる。
また、スケール制御が目標値付近となったか否かを容易に判定できる。
さらに、要求される速度で制御が行えるようになる。
さらにまた、サンプル，比較，カウンタ動作の時間が十分に確保でき、高速化に適している。
【００９９】
【発明の効果】
以上説明してきたように、この発明の情報記録装置によれば、光源の閾値電流及び微分量子効率が変動してもデータ欠損を生じさせる特殊記録パルスの発生や記録動作中断を行わずに常に所望の出力光量が得られるように駆動電流を制御すると共に、情報記録開始直後では高速に所望の出力光量に制御することができる。
【図面の簡単な説明】
【図１】本発明の光源駆動装置を適用する情報記録再生装置の一実施形態の全体構成を示すブロック図である。
【図２】駆動電流−光出力特性の一例を示す線図である。
【図３】図１に示した光源１０２の特性と駆動電流が変化した場合の各波形図である。
【図４】同じく図１に示した光源１０２の特性と駆動電流が変化した場合の各波形図である。
【図５】同じく図１に示した光源１０２の特性と駆動電流が変化した場合の各波形図である。
【図６】図１に示した光源１０２の特性と駆動電流が変化した場合の他の例の各波形を示す図である。
【図７】同じく図１に示した光源１０２の特性と駆動電流が変化した場合の他の例の各波形を示す図である。
【図８】同じく図１に示した光源１０２の特性と駆動電流が変化した場合の他の例の各波形を示す図である。
【図９】図１に示した光ピックアップ１０１に内蔵された光源制御部を含む光源駆動装置１の構成図である。
【図１０】図９に示した各部の出力する信号波形の一例を示す図である。
【図１１】図９に示した基準信号生成部７の他の内部構成例を示すブロック図である。
【図１２】図９に示したバイアス電流制御部４の他の内部構成例を示すブロック図である。
【図１３】図９に示した微分量子効率制御部３及びバイアス電流制御部４の他の内部構成例を示すブロック図である。
【図１４】図９に示した微分量子効率制御部３のさらに他の内部構成例を示すブロック図である。
【図１５】図９に示した変調部６と基準信号生成部７の他の内部構成例を示すブロック図である。
【図１６】スペースレベルと平均値レベル以外の信号のレベルを検出して光源制御処理を実施するときの説明に供する信号波形図である。
【図１７】図９に示した微分量子効率制御部３及び上記バイアス電流制御部４のさらに他の内部構成例を示す図である。
【図１８】この発明の実施形態の情報記録再生装置における相変化型記録媒体に対する光源制御処理の説明に供する線図である。
【図１９】図１７に示した微分量子効率制御部３及びバイアス電流制御部４にこの発明に係る光源制御処理を適用した場合の各部動作説明に供する信号波形図である。
【図２０】この発明の実施形態の他の構成の微分量子効率制御部及びバイアス電流制御部で動作させた場合の各部の信号波形を示す図である。
【符号の説明】
１：光源駆動装置　　　　　２：ＰＤアンプ部
３：微分量子効率制御部　　４：バイアス電流制御部
５：ストラテジ変調部　　　６：変調部
７：基準信号生成部　　　　８：電流加算部
９：電流駆動部　　　　　　１０：制御部
１１：電流電圧変換器　　　１２：ＭＵＸ
１３：オフセットＤＡＣ　　１４：加算器
１５：ゲイン切換アンプ
１６，１７，４２，４３，４５：ローパスフィルタ（ＬＰＦ）
１８：比較器　　　　　　　１９，６２：カウンタ
２０，３４：誤差アンプ
２１：サンプルホールド（Ｓ／Ｈ）積分器
２２ａ〜２２ｎ，３０ａ〜３０ｎ：ＤＡＣ
２３，３１：スイッチ
２４：スケールＤＡＣ　　　２５：ターゲットＤＡＣ
２９：モニタ受光部
３０ａ〜３０ｎ：Ｐ０ＤＡＣ〜ＰｎＤＡＣ
３２，４０，４４，５３，５７：サンプルホールド回路
３３：ＢｔＤＡＣ　　　　　３５：可変ゲインアンプ
４１，４７，５９：ＥｔａＤＡＣ
４６：差分器　　　　　　　５０：反転アンプ
５２，５６，５８：アンプ
５４，５５：バッファアンプ
６０：コンパレータ　　　　６１：ＥＸＯＲ
１００：情報記録媒体　１０１：光ピックアップ　　１０２：光源
１０３：受光部　　　　　　１０４：信号処理部
１０５：回転駆動部　　　　１０６：コントローラ
【図１】
2004005781.tif 000003
【図２】
2004005781.tif 000004
【図３】
2004005781.tif 000005
【図４】
2004005781.tif 000006
【図５】
2004005781.tif 000007
【図６】
2004005781.tif 000008
【図７】
2004005781.tif 000009
【図８】
2004005781.tif 000010
【図９】
2004005781.tif 000011
【図１０】
2004005781.tif 000012
【図１１】
2004005781.tif 000013
【図１２】
2004005781.tif 000014
【図１３】
2004005781.tif 000015
【図１４】
2004005781.tif 000016
【図１５】
2004005781.tif 000017
【図１６】
2004005781.tif 000018
【図１７】
2004005781.tif 000019
【図１８】
2004005781.tif 000020
【図１９】
2004005781.tif 000021
【図２０】
2004005781.tif 000022